(57)【要約】【課題】ミューオン触媒常温核融合を利用した核融合炉（タービン発電機、熱交換器、復水器など、核融合装置以外のものは含まない。【解決手段】トリチウムと重水素をブラウンガスで燃焼すると核融合反応が生じることを利用してエネルギーを取り出す。１グラムの重水素とトリチウムの燃料の核融合反応から発生するエネルギーはタンクローリー１台分の（約８トン）石油相当する。【選択図】図１
2016212073.tif 000002
【特許請求の範囲】
【請求項１】
トリチウムＴ３と重水素Ｄ２をブラウンガスで燃焼してミューオン核融合を可能にする発明である。
【請求項２】
炉材にタングステンとセラミックの合成材を使用する方式を発明した。
【請求項３】
ヘリウムガスを冷却にして冷温水管と熱交換するシステム方式を考案した。
【請求項４】
排気ガスを密閉タンクの中に導き水封してごみを取り除きエアー抜きから空気のみ排出する。
また、反応炉にも密閉タンクにも安全弁を取り付ける。
【請求項５】
炉内の形状（燃焼部は球状の炉内）で形は燃焼炉の隣に燃焼緩和室として、水（この場合はトルマリン水か活性水素水）をいれたタンクを取り付けた構造を考案した。
タンクの材料は炉材と同じとする。
【発明の詳細な説明】
【技術分野】
【０００１】本発明は、ブラウンガスによる常温核融合を世界で初めて開発をしたものである。  今までの原子力発電は核分裂を利用して高熱を取出したがこの発明は核融合で高熱を取り出し、さらにトリチウムも作り、そのトリチウムを使用する。非常に効率の良い施設である。
【背景技術】
【０００２】現在の原子力発電施設は核分裂を主体にしてエネルギーを作り出している。
しかし、事故や廃棄処分時の高濃度汚染水の放射能の除染に苦慮しており、もはや地球上での廃棄場所がない位困っている。  そこで、放射能の除染技術も合わせて研究しているが、ミューオン核融合反応を利用してブラウンガス（酸水素ガス）とトリチウムＴ３と重水素Ｄ２の混合水を燃焼して、トリチウムの放射能を取り除きながら高温水を作りタービンで発電する方式を発案した。  核融合炉では、燃料は希薄なガス状で外部から常に供給するので元栓を閉じれば反応は止まってしまう。原理的に暴走しない安全度の高い施設である。
【先行技術文献】
【特許文献】
【０００３】現在は申請されていない。  ただ、アメリカではリチウムを使用した核融合炉が開発されていると聞いている。
【発明の概要】
【発明が解決しようとする課題】
【０００４】反応炉（ブランケット）は新しく製造した炉材（タングステンとセラミックの合成合金）を使用する。この炉材は発明者が耐熱部ように考案した合成炉材である。  タングステンは溶融温度が高いし、セラミックは断熱性が良い。  それと炉内は非常に高温になるが炉材の界壁は保護膜のような薄い膜で保護される。  理由はガソリンエンジンの場合と同じ原理である。  炉内の中心付近の温度がタングステンの溶融温度を超えていても、炉材の炉壁部は溶融温度を超えない。
セラミックが含まれているので温度は拡散される。
まず、最初はパージ運転（ボイラーの最初に行う作業）を行い内部の不純物を取り除く（炉壁にごみが付いていると、炉壁に穴が開く）。      次に反応炉の真ん中付近にトリチウムＴ３と重水素Ｄ２の混合ガス（希薄なガス状）をポンプで噴き出す。  余り時間をおかず、ブラウンガスを燃焼させてこれもポンプで噴き出す。  炉内燃料（Ｔ＋Ｄ）は数十秒分のみ噴霧する。
炉材は炉壁を二重構造として内部にブランケットを被せて冷却材としてヘリウムガスを封入しておく。  なお、重水素Ｄ２は海水から、トリチウム（三重水素）Ｔ３は炉内の中性子から作る。
ブラウンガスの点火は水素ガスに酸化剤の酸素とで種火を作って行う。
今回の発明は炉内の構造と炉内の燃焼及び熱の取出しだけの部分的だけでその他の施設については既得権のある施設を利用するので省略する。
【課題を解決するための手段】
【０００５】上記のように反応炉内（ブランケット）で燃焼して、エネルギーの取出しはヘリウムガスを循環して熱交換器で熱の受け渡しで蒸気タービンを回し発電する。  また、水素の製造施設やトリチウムの製造施設とセットしたい時は今回の発明に付加すれば良い。  あくまで、今回は反応炉内を中心にした発明である。  炉材をタングステンとセラミックの合成材を使用するのとパージングを行うこと、さらにトリチウムＴ３と重水素Ｄ２の混合ガス状をブラウンガスで燃焼してミューオン核融合を誘発しヘリウムガスでエネルギーを取り出すまでのプロセスを発明することとした。それ以降は既得権の施設を利用する。当然発電機や腹水器も含む。
（イ）最初に炉心のパージングを行う。  パージングとは炉心内部をクリーンに保つことである。  どうするかと言うと空吹きをすることである、炉壁などに付いたごみから界壁を守るためである。
（ロ）次に燃料であるトリチウムと重水素の混合水を霧状に炉心に吹き込む。そのあとで酸化材酸水素ガス（ブラウンガス）を吹き込み圧電器で点火する。（水素ガスと酸素ガスの種火でも良い）。
（ハ）炉壁の外側の空間界壁にヘリウムガス（冷却用）を充填しておく、燃焼に際しては循環させて炉心の温度を下げ、そのエネルギーを熱交換器等で受け渡しを行い、発電機を回す。
（ニ）水素製造器やトリチウム製造器を追加したければ設置すれば良い。発電機や腹水器等も同じである。
【発明の効果】
【０００６】（イ）事故の少ない安全なエネルギー取出し装置である
（ロ）トリチウム・重水素の燃料も酸化剤のブラウンガスも外部で操作できるため施設の暴走がし難い。
（ハ）軽量小型化できる。
（ニ）各家庭の電源に適している。
（ホ）自動車にも搭載できる。自動車エンジンにも良い。
（ヘ）宇宙船の電源にも適している。
【図面の簡単な説明】
【０００７】
【図１】  立面図
【図２】  平面図
【発明を実施するための形態】
【０００８】トリチウムＴと重水素Ｄとブラウンガス（２Ｈ２＋Ｏ２）で常温核融合ができる。
３１Ｔを３Ｔ  と表示（１３Ｈ）１２Ｄを２Ｄと表示（１２Ｄ）
Ｈｅ        ｎは陽子
２Ｈ２Ｏ｛電気分解、エネルギー｝→２Ｈ２＋Ｏ２→２（ＨｅＨ）２＋Ｏ２
→２Ｈ２Ｏ｛燃焼｝＋｛放出エネルギーβ｝＋Ｈｅ
→２（ＨｅＨ）２Ｏ  →２（Ｈｅ（中性子）＋電子ｅ＋Ｈ＋）２Ｏ
→２Ｈｅ２（中性子）＋２電子ｅ２＋２Ｈ２＋Ｏ２
→３Ｔ＋２Ｄ＋２Ｈ２（中性子）＋２電子２＋２Ｈ２＋Ｏ２
→１３Ｈ＋１２Ｈ＋２Ｈｅ２＋２ｅ２＋２Ｈ２Ｏ
→２４Ｈｅ２＋１Ｈ（陽子）＋２（ＨｅＨ）２Ｏ
→４Ｈｅ＋ｎ（陽子）＋２Ｈ２Ｏ＋エネルギー
→同じ手法で
→２Ｈｅ＋ｎ（陽子）＋２Ｈ２Ｏ＋エネルギー
エネルギー１４．１ＭｅＶ  ＋３．５ＭｅＶ＋（１モル）２４１．８ＫＪ
【構造】
【０００９】炉心にトリチウムＴ３と重水素Ｄ２を送り出すポンプを通じてのパイプをパイピングしておく。
同じく酸化材のブラウンガスをも同じようにしておく。
点火用圧電器とその種火用水素・酸素の混合液を配置しておく。
炉壁とその外側の炉壁との間の空間にヘリウムガスを注入する。
炉は密閉型ではない、一部開放型である。  これはブラウンガスが燃焼すると爆縮するのと、水が蒸気になって膨張するため、またトリチウムＴ３と重水素Ｄ２の濃度を出力能力に合わせて稼働するため、さほど大きな変動を起こさないように計画する。一部開放しても十分機能が行かされるように計画する。
【本発明を使用するときは以下の手順で行う】
【００１０】最初に行うことは、炉内を清潔にするためと不純物を取り除くために、ボイラーと同じようにパージ運転を行う。
これは事故防止に重要である。  この後はトリチウムＴ３と重水素Ｄ２の混合水蒸気を炉内に吹き込み、ブラウンガスをバーナーから吹き圧電気で点火する。その際に点火を確実にするために酸素と水素の燃料を圧電気で点火する。
なお、トリチウムＴ３と重水素Ｄ２の濃度を変化出来るように設計をしておく。  さほど大きな出力を必要としない場合は濃度を低く抑えて運転すれば良い。
すべて、自動で行うのであるが、本発明は基本的な構造を考案したもので、後は各自が必要に応じて各容量を決めることとする。
基本事項はトリチウムＴ３と重水素Ｄ２の水溶液をブラウンガスでミューオン核融合を起こした。そして炉材を新しくタングステンとセラミックの合成合金を作り炉材に使用した。
内壁と外壁との間にヘリウムの冷却剤を入れ、冷却しながら熱交換してエネルギーを取り出す方法を考案した。
【符号の説明】
【００１１】１．  炉材内壁。
２．  炉材外壁。
３．  水管（冷温水）。
４．  ヘリウムガス
５．  トリチウムＴ３と重水素Ｄ２の混合水溶液用ポンプ。
６．  パージ用ファン。
７．  ブラウンガス用ポンプ。
８．  水素ガス用パイプ。
９．  酸素ガス用パイプ。
１０．圧電子。
１１．炉内。
１２．整流調整管。
１３．密閉式タンク。
１４．水溶剤（トルマリン水）。
１５．安全弁。
１６．自動エアー抜き弁
１７．炉内圧力計
１８．止水栓
１９．ブランケット
２０．ケーシング
２１．燃焼炉
【図１】
2016212073.tif 000003
【図２】
2016212073.tif 000004